(57)【要約】【課題】構成の簡素化が図られ、従って、省電力化およびコストの低減が図られるデジタル放送受信装置及びデジタル放送受信方法を提供する。【解決手段】周波数遷移検出部１２０によって、受信対象となるセグメントを含む一のチャンネル帯域に対応するガードバンドの周波数の規定値からの遷移量に依拠して受信信号の周波数の遷移の程度を検出し、周波数補正部１０２によって、周波数遷移検出部による検出値を用いて受信信号の周波数補正を行う。【選択図】図４
2007251729.tif 000002
【特許請求の範囲】
【請求項１】
デジタル放送サービスにおける各放送のチャンネル帯域を複数のセグメントに分割し該
複数のセグメントのうちの１つのセグメントを各放送チャンネル帯域間のガードバンドと
して割当て且つ該複数のセグメントのうちの部分的セグメントを用いて行う方式の放送を
受信するデジタル放送受信装置であって、受信対象となるセグメントを含む一のチャンネ
ル帯域に対応するガードバンドの周波数の規定値からの遷移量に依拠して受信信号の周波
数の遷移の程度を検出する周波数遷移検出部と、前記周波数遷移検出部による検出値を用
いて受信信号の周波数補正を行う周波数補正部と、を備えたことを特徴とするデジタル放
送受信装置。
【請求項２】
前記周波数遷移検出部は、前記一のチャンネル帯域とその隣接チャンネル帯域とのガー
ドバンドを含む一定の限定的帯域における搬送波を抽出するフィルタ手段と、前記フィル
タ手段によって抽出された一定の限定的帯域における搬送波の状況から当該ガードバンド
の周波数軸上での位置を検出するガードバンド位置検出部と、前記ガードバンド位置検出
部によって検出された当該ガードバンドの周波数軸上での位置と前記規定値との比較に基
づいて受信信号の周波数の遷移の程度を検出するずれ量検出部と、を含んで構成されてい
ることを特徴とする請求項１に記載のデジタル放送受信装置。
【請求項３】
前記ガードバンド位置検出部は、前記フィルタ手段によって抽出された一定の限定的帯
域における搬送波に対してＦＦＴ処理を施すＦＦＴ処理部と、前記ＦＦＴ処理部の出力に
対して検波処理を施す検波部と、を含んで構成されていることを特徴とする請求項２に記
載のデジタル放送受信装置。
【請求項４】
前記一定の限定的帯域は、３セグメントに相応する帯域として設定されていることを特
徴とする請求項２に記載のデジタル放送受信装置。
【請求項５】
前記ＦＦＴ処理部は受信された放送信号を復調するために用いるＦＦＴ処理部と共通の
ものであることを特徴とする請求項３に記載のデジタル放送受信装置。
【請求項６】
デジタル放送サービスにおける各放送のチャンネル帯域を複数のセグメントに分割し該
複数のセグメントのうちの１つのセグメントを各放送チャンネル帯域間のガードバンドと
して割当て且つ該複数のセグメントのうちの部分的セグメントを用いて行う方式の放送を
受信するに際して、受信対象となるセグメントを含む一のチャンネル帯域に対応するガー
ドバンドの周波数の規定値からの遷移量を検出し、該検出された遷移量に依拠して受信信
号の周波数の補正を行うことを特徴とするデジタル放送受信方法。
【発明の詳細な説明】
【技術分野】
【０００１】
本発明は、例えば、デジタルテレビジョン放送の受信機能を備えた移動式のデジタル放
送受信装置及びデジタル放送受信方法に関し、特に、その受信周波数のずれを補正する手
段を改良したデジタル放送受信装置及びデジタル放送受信方法に関する。
【背景技術】
【０００２】
ＩＳＤＢ−Ｔ（Integrated Services Digital Broadcasting −Terrestrial：地上デジ
タル放送）では、各放送のチャンネル帯域を複数（１４）のセグメントに分割し該複数の
セグメントのうちの１つのセグメントを各放送チャンネル帯域間のガードバンド（各チャ
ンネル間の無信号帯域部：以下の説明において同様）として割当て、且つ、該複数のセグ
メントのうちガードバンドを除く１３セグメントのうちの部分的セグメント（１セグメン
ト）を用いて行う放送（所謂、ワンセグ（登録商標））も普及の兆しを見せている。この
ような放送の概要について次に説明する。
【０００３】
図５は、地上デジタル放送における周波数の割当て状況を表す図である。９０MHz〜７
７０MHz帯域の中に各チャンネルが６MHz単位で存在する。この中で地上デジタル放送は、
基本的にはＵＨＦ帯のチャンネルが割当てられる。また、デジタルラジオ放送（地上デジ
タル音声放送）は、ＶＨＦ帯の空きチャンネルに割当てが考えられている。従って、地上
デジタルテレビジョン放送と共通の方式を採る地上デジタル音声放送に共通に適用可能な
ようにＬＳＩを開発するに際しては、当該ＬＳＩが対応すべき周波数帯域は９０MHz〜７
７０MHzの全域となる。
【０００４】
図６は、ＵＨＦ帯のデジタル放送チャンネルに関する周波数アロケーションを表す図で
ある。６MHz毎に１チャンネルが割当てられ、ＯＦＤＭ（Orthogonal Frequency Division
Multiplex）変調されたチャンネルは周波数軸で１３セグメントに分割される。移動テレ
ビジョン受像機（携帯テレビ）に使用可能なセグメントはこれら１３セグメントの中心に
位置する、図中斜線を施した約４３２KHzの領域である。１セグメントの携帯テレビサー
ビスの受信には、ＵＨＦ帯に６MHz毎に存在するこのセグメントの抽出が必要である。
【０００５】
図７は、図６を参照して説明した周波数アロケーションを含むチャンネル配置図である
。図示のように、中央の１セグメントを携帯テレビに適用する一のチャンネルのテレビジ
ョン放送の帯域にガードバンドを挟んで隣接する他の帯域中の中央の３セグメントを用い
てデジタルラジオ放送が行われる。
【０００６】
図８は、携帯テレビサービスの受信において周波数補正を行うために用いる帯域を表す
図である。通常、放送サービスに用いる図示のような中心の３セグメントをフィルタリン
グして、既知の特定キャリア信号を復号し、各セグメントの境界を検出することによって
周波数ずれを検出し、この検出値に基づいて周波数補正が行われる。
【０００７】
図９は、携帯テレビジョン受像機の一般的構成を表すブロック図である。受信されたＲ
Ｆ入力に対しチューナ部９０１でＲＦ信号処理を施し、この処理を施した信号をＡＤ変換
部９０２でデジタル信号に変換する。変換された信号（デジタルデータであるが、以下の
説明では適宜信号という）はＯＦＤＭ変調された放送信号であるが、この放送信号に対し
てＯＦＤＭ復調部９０３で復調処理を施して原信号に復元する。
【０００８】
受信信号の状態からチューナ部９０１に対してAGCの制御量をフィードバックすること
により安定した受信を図る。上述のＯＦＤＭ復調後のデータをビタビ復号部９０４および
誤り訂正部９０５を通して誤り訂正処理し、ＭＰＥＧのトランスポートストリーム（ＴＳ
出力と表記）として画像処理部へ出力する。システムコントローラ９０６は上述の各部の
動作を統括的に管理する。
【０００９】
図１０は、図９中のＯＦＤＭ復調部９０３における周波数補正に係る構成部分のブロッ
ク図である。図１０において、図９のＡＤ変換部９０２から供給されるデジタル信号（デ
ジタル映像データ）に対しデジタルフィルタであるＦＩＲフィルタ（Finite-Duration Im
pulse Response Filter）１００１でノイズ除去した後、周波数オフセットキャンセル部
１００２を通して周波数のずれの補正を行なう。
【００１０】
また、周波数オフセットキャンセル部１００２の出力側に設けられたＧＩ相関処理部１
０１０の出力がモード判定部１０１１、同期調整部１０１２、および、周波数密推定部１
０１３に供給されて、この周波数密推定部１０１３から周波数密推定信号が生成されるよ
うに構成されている。
【００１１】
即ち、ＧＩ相関部１０１０の処理結果から相関値が求まるので、同期調整部１０１２で
相関値のピーク部分で同期をとって相関ピークの位置を検出した後、周波数密推定部１０
１３でその相関ピークの位置を平均化して受信信号のOFDMシンボル境界を推定する(周波
数密推定信号を得る)。
相関値ピークの間隔がOFDMシンボル長に相応し、該シンボル長と伝送信号パラメータで
あるモードが規格で関連付けられているためモード判定部１０１１でモード判別すること
ができる。
【００１２】
周波数オフセットキャンセル部１００２の後段のＦＦＴ処理部１００３におけるＦＦＴ
処理によりＯＦＤＭ変調された信号を復調した後、等価処理部１００４で等化処理を行う
。その後、差動変調された既知の特定キャリア信号を取り出すために差動復調部１００５
で差動復調処理を行う。この処理では、既知の特定信号のデータも抽出される。取り出し
た既知の特定信号のデータを用いて周波数粗推定部１０２０でフレーム単位の周波数推定
である粗推定を行って周波数粗推定信号を得、この周波数粗推定信号および上述の周波数
密推定信号によって周波数オフセットキャンセル部１００２に周波数ずれ量をフィードバ
ックする。
【００１３】
周波数オフセットキャンセル部１００２では上述のようにしてフィードバックされた周
波数のずれ量に応じた周波数補正処理を実行する。最後にデータ分離部１００６で制御信
号と映像データを分離し、次段の処理へ移行する。
以上が、一般的な部分的セグメントによる所謂部分受信における受信周波数補正の概要
である。
【００１４】
上述のように、部分受信においてもＯＦＤＭ方式が採用され、伝送路におけるフェージ
ング等の影響により、周波数のずれが生ずる場合にこの周波数ずれを補正した上で、信号
を復調しなければならない。
ＴＭＣＣ（Transmission and Multiplexing Configuration Control）キャリアを有す
るＯＦＤＭ伝送装置において、受信した受信信号から上記ＴＭＣＣキャリアを復調し、該
復調したＴＭＣＣキャリアの相対キャリア位置を検出し、該検出したＴＭＣＣキャリア位
置に基づきキャリアずれ量、即ち上述の周波数ずれを検出するための具体的な技術も提案
されている（例えば、特許文献１参照）。
【００１５】
この提案の場合は、主データを送るための主データ用キャリアと、所定のランダムな位
置に配置され副データを送るための副データ用キャリアとを有する放送方式に対応するも
のであって、副データとしては、８個のキャリア毎に配置されるＣＰ(Continual Pilot)
キャリアと、所定のランダムな位置に配置されるＴＭＣＣ(Transmission and Multiplexi
ng Configuration Control)キャリアと、所定のランダムな位置に配置されるAC（Auxilia
ry Channel）キャリアとが含まれる方式が採られている。
【００１６】
受信信号をＩＦ信号に周波数変換し、更にベースバンド信号に周波数変換した信号をＡ
／Ｄ変換し、Ｉ軸信号、Ｑ軸信号に直交復調し、該直交復調されたＩ軸、Ｑ軸信号をＦＦ
Ｔ(Fast Fourier Transform)処理し、該処理でフーリエ変換されたＩ軸、Ｑ軸信号をＴＭ
ＣＣキャリア復調して全ＴＭＣＣキャリアデータに対して差動復調であるＤＱＰＳＫ(Dif
ferential Quadrature Phase Shift Keying)復調を施す。
【００１７】
上述のように差動復調されたＴＭＣＣキャリア復調信号について、１シンボル期間内の
復調データをＴＭＣＣキャリアの所定のランダムな配置位置パターンでサンプリングした
値を全て加算するようにし、この時、正常なＴＭＣＣキャリア位置から±Ｍキャリア(例
えばM＝２０)の範囲内で１キャリアずつ、ずれた各配置位置パターンそれぞれについて、
上記加算処理を行い、この結果に基づいてキャリアずれ量を判別するがここでの判別にも
特徴を有していて、伝送路等で受けた周波数ずれが、キャリアずれ数±２本以上の場合に
おいても正常に補正可能となり、伝送耐性の向上が図られるとされている。
【特許文献１】特開２００５−１３０４８０号公報（段落００１３〜段落００１７、段落００２５〜段落００２６、図１、図４）
【発明の開示】
【発明が解決しようとする課題】
【００１８】
図１０を参照して説明した一般的な構成では、特定キャリア信号の相関値を記憶してお
き、平均化処理を行わなければならないため、レジスタ等の素子が大量に必要になる。そ
のため、回路規模が大嵩となり消費電力が増大してしまうといった問題がある。
また、上掲の特許文献１所載の技術でも、周波数のずれを検出するための構成が複雑化
して、全体として回路規模が大きくなり、コストが嵩み省電力化も阻害されてしまう。
【００１９】
本発明は叙上のような状況に鑑みてなされたものであり、構成の簡素化が図られ、従っ
て、省電力化およびコストの低減が図られるデジタル放送受信装置及びデジタル放送受信
方法を提供することを目的としている。
【課題を解決するための手段】
【００２０】
上記課題を解決するべく、本願では次に列記するような技術を提案する。
（１）デジタル放送サービスにおける各放送のチャンネル帯域を複数のセグメントに分割
し該複数のセグメントのうちの１つのセグメントを各放送チャンネル帯域間のガードバン
ドとして割当て且つ該複数のセグメントのうちの部分的セグメントを用いて行う方式の放
送を受信するデジタル放送受信装置であって、受信対象となるセグメントを含む一のチャ
ンネル帯域に対応するガードバンドの周波数の規定値からの遷移量に依拠して受信信号の
周波数の遷移の程度を検出する周波数遷移検出部と、前記周波数遷移検出部による検出値
を用いて受信信号の周波数補正を行う周波数補正部と、を備えたことを特徴とするデジタ
ル放送受信装置。
【００２１】
上記（１）のデジタル放送受信装置では、周波数遷移検出部によって、受信対象となる
セグメントを含む一のチャンネル帯域に対応するガードバンドの周波数の規定値からの遷
移量に依拠して受信信号の周波数の遷移の程度を検出し、周波数補正部によって、周波数
遷移検出部による検出値を用いて受信信号の周波数補正を行う。このため、構成の簡素化
が図られる。
【００２２】
（２）前記周波数遷移検出部は、前記一のチャンネル帯域とその隣接チャンネル帯域との
ガードバンドを含む一定の限定的帯域における搬送波を抽出するフィルタ手段と、前記フ
ィルタ手段によって抽出された一定の限定的帯域における搬送波の状況から当該ガードバ
ンドの周波数軸上での位置を検出するガードバンド位置検出部と、前記ガードバンド位置
検出部によって検出された当該ガードバンドの周波数軸上での位置と前記規定値との比較
に基づいて受信信号の周波数の遷移の程度を検出する
ずれ量検出部と、を含んで構成されていることを特徴とする（１）のデジタル放送受信装
置。
【００２３】
上記（２）デジタル放送受信装置では、（１）のデジタル放送受信装置において特に、
周波数遷移検出部において、フィルタ手段によって、放送を担う一のチャンネル帯域とそ
の隣接チャンネル帯域とのガードバンドを含む一定の限定的帯域における搬送波が抽出さ
れ、ガードバンド位置検出部によって、フィルタ手段によって抽出された一定の限定的帯
域における搬送波の状況から当該ガードバンドの周波数軸上での位置が検出され、更に、
ずれ量検出部によって、ガードバンド位置検出部によって検出されたの周波数軸上での位
置（現実の位置）と前記規定値（当該ガードバンドが本来あるべき周波数軸上での位置）
との比較に基づいて受信信号の周波数の遷移の程度が検出される。
【００２４】
（３）前記ガードバンド位置検出部は、前記フィルタ手段によって抽出された一定の限定
的帯域における搬送波に対してＦＦＴ処理を施すＦＦＴ処理部と、前記ＦＦＴ処理部の出
力に対して検波処理を施す検波部と、を含んで構成されていることを特徴とする（２）の
デジタル放送受信装置。
上記（３）のデジタル放送受信装置では、（２）のデジタル放送受信装置において特に
、ガードバンド位置検出部において、ＦＦＴ処理部によって、フィルタ手段で抽出された
一定の限定的帯域における搬送波に対してＦＦＴ処理が施され、検波部によって、ＦＦＴ
処理部の出力に対して検波処理が施される。
【００２５】
（４）前記一定の限定的帯域は、３セグメントに相応する帯域として設定されていること
を特徴とする（２）のデジタル放送受信装置。
上記（４）のデジタル放送受信装置では、（２）のデジタル放送受信装置において特に
、一定の限定的帯域は、３セグメントに相応する帯域として設定される。
【００２６】
（５）前記ＦＦＴ処理部は受信された放送信号を復調するために用いるＦＦＴ処理部と共
通のものであることを特徴とする（３）のデジタル放送受信装置。
上記（５）のデジタル放送受信装置では、（３）のデジタル放送受信装置において特に
、ＦＦＴ処理部は、受信された放送信号を復調（例えばＯＦＤＭ復調）するために用いる
ＦＦＴ処理部と共通のものであるため、一層構成が簡素化される。
【００２７】
（６）デジタル放送サービスにおける各放送のチャンネル帯域を複数のセグメントに分割
し該複数のセグメントのうちの１つのセグメントを各放送チャンネル帯域間のガードバン
ドとして割当て且つ該複数のセグメントのうちの部分的セグメントを用いて行う方式の放
送を受信するに際して、受信対象となるセグメントを含む一のチャンネル帯域に対応する
ガードバンドの周波数の規定値からの遷移量を検出し、該検出された遷移量に依拠して受
信信号の周波数の補正を行うことを特徴とするデジタル放送受信方法。
【００２８】
上記（６）のデジタル放送受信方法では、受信対象となるセグメントを含む一のチャ
ンネル帯域に対応するガードバンドの周波数（現実の値）の規定値からの遷移量に依拠し
て受信信号の周波数の遷移の程度を検出し、この検出値を用いて受信信号の周波数補正を
行う。
【発明を実施するための最良の形態】
【００２９】
以下、本発明の実施の形態を図面を参照して説明する。尚、以下に参照する図において
は、便宜上、説明の主題となる要部は適宜誇張し、要部以外については適宜簡略化し乃至
省略されている。
【００３０】
図１は、本発明の実施の形態としてのデジタル放送受信装置の要部の構成を表すブロッ
ク図である。図１に示されたブロック図は、全体の概略的構成は図９を参照して説明した
ものと同様である本発明の実施の形態としてのデジタル放送受信装置における、そのＯＦ
ＤＭ復調部の構成を表している。
【００３１】
図１において図９のＡＤ変換部９０２から供給されるものと同様のデジタル信号（デジ
タル映像データ）に対しデジタルフィルタであるＦＩＲフィルタ（Finite-Duration Impu
lse Response Filter）１０１でノイズ除去した後、周波数オフセットキャンセル部１０
２を通して周波数のずれの補正を行なう。
また、周波数補正部としての周波数オフセットキャンセル部１０２の出力側に設けられ
たＧＩ相関処理部１１０の出力がモード判定部１１１、同期調整部１１２、および、周波
数密推定部１１３に供給されて、この周波数密推定部１１３から周波数密推定信号が生成
されるように構成されている。
【００３２】
即ち、ＧＩ相関部１１０の処理結果から相関値が求まるので、同期調整部１１２で相関
値のピーク部分で同期を取って相関ピークの位置を検出した後、周波数密推定部１１３で
その相関ピークの位置を平均化して受信信号のOFDMシンボル境界を推定する(この推定値
を表す周波数密推定信号を得る)。
相関値ピークの間隔がOFDMシンボル長に相応し、該シンボル長と伝送信号パラメータで
あるモードが規格で関連付けられているためモード判定部１１１でモード判別することが
できる。
【００３３】
周波数オフセットキャンセル部１０２の後段のＦＦＴ処理部１０３におけるＦＦＴ処理
によりＯＦＤＭ変調された信号を復調した後、等価処理部１０４で等化処理を行う。その
後、差動変調された既知の特定キャリア信号を取り出すために差動復調部１０５で差動復
調処理を行う。差動復調処理が施された信号はデータ分離部１０６で制御信号と映像デー
タを分離し、次段の処理へ移行する。
【００３４】
図１０を参照して説明した従来例では、取り出した既知データを用いて周波数粗推定部
１０２０でフレーム単位の周波数推定である粗推定を行って周波数粗推定信号を得、この
周波数粗推定信号および上述の周波数密推定信号によって周波数オフセットキャンセル部
１００２に周波数ずれ量をフィードバックするようにしていたが、このような構成では周
波数粗推定部１０２０が複雑であるため、本発明では、このような周波数粗推定部１０２
０によらず、図２を参照して後述するような簡素な構成の周波数遷移検出部１２０によっ
て周波数粗推定信号を得る。
【００３５】
図２は、図１における周波数遷移検出部１２０の構成を表すブロック図である。図２に
おいて、ＦＩＲフィルタ１０１に供給されるものと同様のデジタル信号（デジタル映像デ
ータ）に対し、フィルタ１２１によって本デジタル放送受信装置で受信する一のチャンネ
ル帯域とその隣接チャンネル帯域とのガードバンドを含む一定の限定的帯域における搬送
波を抽出する。
【００３６】
図３は、図２中のフィルタ１２１によって抽出する一定の限定的帯域を表す図である。
図示のように、一定の限定的帯域として、略中央にガードバンドの領域ＧＩを含む３セグ
メント分の帯域であって、放送サービスの規約上、本来ガードバンドの中心周波数が位置
すべき時間軸上の位置が当該帯域の中央に一致するように、その周波数軸上の位置を設定
する。
【００３７】
図２の説明に戻る。周波数遷移検出部１２０は図３を参照して説明したような特性を有
するフィルタ１２１によって抽出された一定の限定的帯域における搬送波の状況から当該
ガードバンドの周波数軸上での位置を検出するガードバンド位置検出部１２２と、ガード
バンド位置検出部１２２によって検出された当該ガードバンドの周波数軸上での現実の位
置と規約上の規定値としての位置との比較に基づいて受信信号の周波数の遷移の程度を検
出するずれ量検出部１２３と、を含んで構成されている。
上述のガードバンド位置検出部１２２は、フィルタ１２１によって抽出された既述の一
定の限定的帯域における搬送波に対してＦＦＴ処理を施すＦＦＴ処理部１２４と、ＦＦＴ
処理部１２４の出力に対して検波処理を施す検波部１２５と、を含んで構成されている。
【００３８】
図４は、図２中のガードバンド位置検出部１２２における信号処理の状況を表す図であ
る。同図（Ａ）は、図２のフィルタ１２１によって抽出された一定の限定的帯域における
搬送波に対してＦＦＴ処理部１２４でＦＦＴ処理を施した様子を表す図であり、同図（Ｂ
）はＦＦＴ処理によって立ったキャリアに対して検波部１２５で検波を行なった様子を表
す図である。
【００３９】
本発明では、このようにキャリアに対して検波部１２５で検波を行なった波形が上述の
一定の限定的帯域（図３）における両側から等量の幅（帯域）を占めるようになっていれ
ば放送の受信周波数には周波数のずれが無く、何れかの一側方に偏っていればこの偏りが
受信信号の周波数の遷移の程度に相応するものであって、ずれ量検出部１２３によるこの
偏りに関する検出信号が、図２にその全体が表わされた周波数遷移検出部１２０からの周
波数粗推定信号として出力される。
【００４０】
この周波数粗推定信号が図１の周波数オフセットキャンセル部１０２に供給され、周波
数オフセットキャンセル部１０２では、このようにして供給される周波数粗推定信号と既
述の周波数密推定信号に依拠して周波数補正を行なう。
以上のように、本発明では、ＴＭＣＣを一例とする既知の特定キャリア信号を利用する
専用の複雑な回路を用いず、フィルタ、ＦＦＴ，検波といった一般的な処理のみで周波数
補正の基礎となる周波数の遷移量を表すデータを得ることができるため、回路構成を小規
模に抑えて、低コストで消費電力少ないデジタル放送受信装置を実現することができる。
【００４１】
以上において特に、図２を参照して説明した周波数遷移検出部１２０のＦＦＴ処理部１
２４を、図１を参照して説明したような、受信された放送信号を復調（例えばＯＦＤＭ復
調）するために用いるＦＦＴ処理部１０３と共通のものとして構成することもでき、この
ように構成した場合には、一層簡素化が図られる。
【００４２】
以上説明した本発明は、デジタル放送サービスにおける各放送のチャンネル帯域を複数
のセグメントに分割し該複数のセグメントのうちの１つのセグメントを各放送チャンネル
帯域間のガードバンドとして割当て且つ該複数のセグメントのうちの部分的セグメントを
用いて行う方式の放送を受信するに際して、受信対象となるセグメントを含む一のチャン
ネル帯域に対応するガードバンドの周波数の規定値からの遷移量を検出し、該検出された
遷移量に依拠して受信信号の周波数の補正を行うことを特徴とするデジタル放送受信方法
としても観念される技術思想であることは論を俟たないであろう。
【図面の簡単な説明】
【００４３】
【図１】本発明の実施の形態としてのデジタル放送受信装置の要部の構成を表すブロック図である。
【図２】図１における周波数遷移検出部の構成を表すブロック図である。
【図３】図２中のフィルタによって抽出する一定の限定的帯域を表す図である。
【図４】図２中のガードバンド位置検出部における信号処理の状況を表す図である。
【図５】地上デジタル放送における周波数の割当て状況を表す図である。
【図６】ＵＨＦ帯のデジタル放送チャンネルに関する周波数アロケーションを表す図である。
【図７】図６の周波数アロケーションを含むチャンネル配置図である。
【図８】携帯テレビサービスの受信ににおいて周波数補正を行うために用いる帯域を表す図である。
【図９】携帯テレビジョン受像機の一般的構成を表すブロック図である。
【図１０】図９中のＯＦＤＭ復調部における周波数補正に係る構成部分のブロック図である。
【符号の説明】
【００４４】
１０１…ＦＩＲフィルタ  １０２…周波数オフセットキャンセル部  １０３…ＦＦＴ処理
部  １０４…等価処理部  １０５…差動復調部  １０６…データ分離部  １１０…ＧＩ相
関処理部  １１１…モード判定部  １１２…同期調整部  １１３…周波数密推定部  １２
０…周波数遷移検出部  １２１…フィルタ  １２２…ガードバンド位置検出部  １２３…
ずれ量検出部  １２４…ＦＦＴ処理部  １２５…検波部  ９０１…チューナ部  ９０２…
ＡＤ変換部  ９０３…ＯＦＤＭ復調部  ９０４…ビタビ復号部  ９０５…誤り訂正部  ９
０６…システムコントローラ  １００１…ＦＩＲフィルタ  １００２…周波数オフセット
キャンセル部  １００３…ＦＦＴ処理部  １００４…等価処理部  １００５…差動復調部
１００６…データ分離部  １０１０…ＧＩ相関部  １０１１…モード判定部  １０１２
…同期調整部  １０１３…周波数密推定部  １０２０…周波数粗推定部
【図１】
2007251729.tif 000003
【図２】
2007251729.tif 000004
【図３】
2007251729.tif 000005
【図４】
2007251729.tif 000006
【図５】
2007251729.tif 000007
【図６】
2007251729.tif 000008
【図７】
2007251729.tif 000009
【図８】
2007251729.tif 000010
【図９】
2007251729.tif 000011
【図１０】
2007251729.tif 000012